(57)【特許請求の範囲】
【請求項１】
軸受用セラミックス玉を超音波洗浄してその表面に付着した異物を除去した後、当該セラミックス玉の表面にオイルを塗布し、このオイルを塗布した軸受用セラミックス玉を、合成樹脂からなるとともに帯電防止効果を有する袋に収納することを特徴とする軸受用セラミックス玉の包装方法。
【請求項２】
前記オイルの塗布を、オイル浸漬により行う請求項１記載の軸受用セラミックス玉の包装方法。
【請求項３】
前記オイルとして、孔眼寸法が１μｍ以下のフィルターで濾過したオイルを用いる請求項１記載の軸受用セラミックス玉の包装方法。
【発明の詳細な説明】
【０００１】
【産業上の利用分野】
この発明は、軸受用セラミックス玉の包装方法に関する。
【０００２】
【従来の技術】
従来、ハードディスクドライブ（ＨＤＤ）やフロッピイディスクドライブ（ＦＤＤ）等の磁気記録装置には、磁気ディスクを高速回転させるためのスピンドルモータが設けられており、このスピンドルモータのハブを支持するために玉軸受が用いられている。この玉軸受については、回転・音響性能や耐フレッチング性能を確保するために、転動体として窒化ケイ素等からなるセラミックス玉が用いられている。
【０００３】
【発明が解決しようとする課題】
ところで、通常、軸受用鋼球は脱脂洗浄した後、錆の発生を防止するために防錆油を塗布した状態で包装される。一方セラミックス玉は錆を発生することがないので、洗浄後はそのまま包装される。しかし、前記セラミックス玉は絶縁体であるので、例えば輸送中においてセラミックス玉どうしが摩擦することにより静電気を帯び易い。静電気を帯びたセラミックス玉は、埃等の異物を吸着したり、他のセラミックス玉と吸着したりし易くなる。異物が付着した状態でセラミックス玉が軸受の内外輪間に組み込まれると、その軸受の回転・音響性能が低下することになり、セラミックス玉どうしが吸着すると、自動機によって軸受の内外輪間にセラミックス玉を組み込む際に、セラミックス玉がその搬送路内で詰まり易くなって、自動機の実働率が低下することになる。
この発明は前記問題点に鑑みてなされたものであり、帯電を生じ難い軸受用セラミックス玉の包装方法を提供することを目的とする。
【０００４】
【課題を解決するための手段】
前記目的を達成するためのこの発明の軸受用セラミックス玉の包装方法は、軸受用セラミックス玉を超音波洗浄してその表面に付着した異物を除去した後、当該セラミックス玉の表面にオイルを塗布し、このオイルを塗布した軸受用セラミックス玉を、合成樹脂からなるとともに帯電防止効果を有する袋に収納することを特徴としている。
このような構成の軸受用セラミックス玉の包装方法によれば、セラミックス玉が帯電するのを、その表面に塗布したオイルによって防止することができる。
特に、軸受用セラミックス玉を超音波洗浄した後、前記オイルを塗布するので、異物を効果的に除去した状態でオイルを塗布することができる。
また、前記袋が帯電防止効果を有するので、袋との摩擦によってセラミックス玉が帯電するのを効果的に防止することができる。
【０００５】
前記セラミックス玉の表面にオイルを塗布するには、当該セラミックス玉をオイルに浸漬するのが好ましく（請求項２）、この場合には、多数のセラミックス玉の表面に効率よくオイルを塗布することができる。
【０００６】
前記包装方法においては、超音波洗浄をアルコール等の有機溶剤中で行えば、セラミックス玉を除電することもできる。
前記オイルとしては、孔眼寸法が１μｍ以下のフィルターで濾過したオイルを用いるのが好ましく（請求項３）、この場合には、極めて清浄なオイルをセラミックス玉に塗布することができる。
【０００７】
【発明の実施の形態】
以下、この発明の実施の形態について、添付図面を参照しながら説明する。
図１は、この発明の一実施形態に係る軸受用セラミックス玉の包装方法を示す工程図である。この包装方法においては、まず、バスケット２に収容した複数個の軸受用のセラミックス玉１を、洗浄槽３に溜めた洗浄液４中に浸漬した状態で、当該セラミックス玉１に向けて超音波発信装置５のホーン５ａから超音波を発振してこれを洗浄する（図１(a)参照）。これにより、セラミックス玉１に付着している微細な異物を効果的に除去することができる。
前記超音波洗浄に用いる洗浄液４としては、アルコール等の有機溶剤を用いる。セラミックス玉１を除電するためには、前記アルコール等の導電性を有する有機溶剤を使用するのが好ましい。この有機溶剤を使用して洗浄を行うと、セラミックス玉１を除電してその表面電位を−１００〜＋１００Ｖの範囲にすることができるので、セラミックス玉１の表面に異物が付着するのを効果的に防止することができる。
【０００８】
次に、超音波洗浄が終了したセラミックス玉１を、バスケット２とともに油槽６に溜めたオイル７中に浸漬する（図１(b)参照）。これによりセラミックス玉１の表面にオイル７を確実かつ効率よく塗布してその帯電防止を図ることができる。このオイル７としては、防錆油や潤滑油を使用することができるが、何れについても開口の一辺の長さである孔眼寸法が１μｍ以下のフィルターで濾過したものを用いる。これにより、極めて清浄なオイル７をセラミックス玉１に塗布することができる。なお、油槽６中のオイル７は、前記フィルターと同じ孔眼寸法のフィルターを用いて常時濾過しておく。また、前記オイル７として導電性を有するものを用いれば、セラミックス玉１をさらに除電することもできる。
【０００９】
そして、オイル７が塗布された複数個のセラミックス玉１を、合成樹脂製の袋８に収容した後、当該袋８を密封する（図１(c)参照）。この袋８は帯電防止効果を有するものであり、例えば、ポリプロピレン、ポリエチレン、ビニロン、ポリ塩化ビニル、ポリ塩化ビニリデン等の合成樹脂に、カーボン等の導電性フィラーを添加した導電性シートによって形成されている。このような帯電防止効果を有する袋８を用いることにより、袋８とその内部のセラミックス玉１との摩擦によって当該セラミックス玉１が静電気を帯びるのを効果的に防止することができる。
【００１０】
以上の包装方法においては、複数個のセラミックス玉１をオイルを塗布した状態で袋８に詰めているので、搬送中にセラミックス玉１どうしが摩擦しても、当該セラミックス玉１が帯電するのを防止することができる。このため、開封後においてセラミックス玉１の表面に埃等の異物が吸着するのを抑制することができる。また、セラミックス玉１どうしが吸着するのを防止することもできるので、その組み込み工程においてセラミックス玉１が搬送路に詰まるのを防止することができる。さらに、搬送中の衝撃を前記オイルが緩和するので、セラミックス玉１の表面に微細な傷が付き難くなる。
【００１１】
なお、前記の実施の形態においては、セラミックス玉１の洗浄及びオイル浸漬を、所定個数ずつバスケット２に入れて行っているが、コンベアで個別に搬送しながら連続的に行ってもよい。
【００１２】
【発明の効果】
以上のように、請求項１記載の軸受用セラミックス玉の包装方法によれば、摩擦によってセラミックス玉が帯電するのを、その表面に塗布したオイルによって防止することができるので、開封後においてセラミックス玉の表面に埃等の異物が吸着するのを抑制することができる。このため、セラミックス玉に異物が吸着することに起因して軸受の回転・音響性能が低下するのを防止することができる。また、セラミックス玉どうしが吸着するのを防止することもできるので、その組み込み工程においてセラミックス玉が搬送路に詰まるのを防止することができ、ひいては組み込み装置の実働率を高めることができる。
【００１３】
特に、軸受用セラミックス玉を超音波洗浄した後、前記オイルを塗布するので、異物を効果的に除去した状態でセラミックス玉にオイルを塗布することができる。このため、当該異物に起因して軸受の回転・音響性能が低下するのを防止することができる。また、超音波洗浄を導電性の溶液中で行えば、セラミックス玉の表面電位を下げることができるので、当該セラミックス玉に異物が吸着するのをより一層効果的に抑制することができる。
さらに、前記袋が帯電防止効果を有するので、袋との摩擦によってセラミックス玉が帯電するのを効果的に防止することができる。
【００１４】
請求項２記載の軸受用セラミックス玉の包装方法によれば、オイル浸漬によってセラミックス玉の表面にオイルを塗布するので、多数のセラミックス玉の表面に確実かつ効率よくオイルを塗布することができる。
【００１５】
請求項３記載の軸受用セラミックス玉の包装方法によれば、極めて清浄なオイルをセラミックス玉に塗布することができるので、軸受の回転・音響性能が低下するのをより効果的に防止することができる。
【図面の簡単な説明】
【図１】この発明の一実施形態に係る軸受用セラミックス玉の包装方法示す工程図である。
【符号の説明】
１    セラミックス玉
２    洗浄液
７    オイル
８    袋
【図１】
0004974040.tif 000002